(57)【要約】【課題】　表裏両面にデータを表示するデュアル・ディスプレイの液晶ディスプレイの構造と、一つの液晶層だけを備えたデュアル・ディスプレイの液晶ディスプレイの構造と、透過モードと反射モードとを備えたデュアル・ディスプレイの液晶ディスプレイの構造とを提供する。【解決手段】　第１ディスプレイ・エリアと第２ディスプレイ・エリアとを備え、前記第１ディスプレイ・エリアと前記第２ディスプレイ・エリアは、それぞれ少なくとも１つ以上のディスプレイを含んでおり、第１基板と、前記第１基板の上に形成される画素電極パターンと、前記第１基板と向かい合う第２基板と、前記第２ディスプレイ・エリアの前記第２基板の片側に形成される反射層と、前記第２基板及び前記反射層の上に形成されるカラーフィルタと、前記カラーフィルタの上に形成される共通電極と、前記第１基板と前記第２基板との間に形成される液晶層と、前記第１基板の外側に設置される発光装置とを少なくとも備えるようにする。【選択図】　図１
2004145332.tif 000002
【特許請求の範囲】
【請求項１】
　第１ディスプレイ・エリアと第２ディスプレイ・エリアとを備え、
　前記第１ディスプレイ・エリアと前記第２ディスプレイ・エリアは、それぞれ少なくとも１つ以上のディスプレイを含んでおり、
　第１基板と、
　前記第１基板の上に形成される画素電極パターンと、
　前記第１基板と向かい合う第２基板と、
　前記第２ディスプレイ・エリアの前記第２基板の片側に形成される反射層と、
　前記第２基板及び前記反射層の上に形成されるカラーフィルタと、
　前記カラーフィルタの上に形成される共通電極と、
　前記第１基板と前記第２基板との間に形成される液晶層と、
　前記第１基板の外側に設置される発光装置と、
　を少なくとも備えていることを特徴とするデュアル・ディスプレイの液晶ディスプレイの構造。
【請求項２】
　前記画素電極パターンと前記共通電極の材質は、インジウムスズ酸化物（ＩＴＯ）或いはインジウム亜鉛酸化物（ＩＺＯ）である請求項１に記載のデュアル・ディスプレイの液晶ディスプレイの構造。
【請求項３】
　前記発光装置は、前記第１ディスプレイ・エリアの中に設置され、或いは、前記第１ディスプレイ・エリア及び前記第２ディスプレイ・エリアの中に同時に設置される請求項１に記載のデュアル・ディスプレイの液晶ディスプレイの構造。
【請求項４】
　前記第１ディスプレイ・エリアの中にある前記液晶ディスプレイの構造は、透過型液晶ディスプレイの構造であり、前記第２ディスプレイ・エリアの中にある前記液晶ディスプレイの構造は、反射型液晶ディスプレイの構造である請求項１に記載のデュアル・ディスプレイの液晶ディスプレイの構造。
【請求項５】
　前記第１ディスプレイ・エリアと前記第２ディスプレイ・エリアは、隣接する、或いは、隣接していないようになっている請求項１に記載のデュアル・ディスプレイの液晶ディスプレイの構造。
【請求項６】
　前記反射層は、前記第２基板の内側或いは外側に選択的に形成される請求項１に記載のデュアル・ディスプレイの液晶ディスプレイの構造。
【発明の詳細な説明】
【技術分野】
【０００１】
　本発明は、液晶ディスプレイ（liquid　crystal　display、ＬＣＤ）の構造に関し、特に、表裏両面にデータを表示できるデュアル・ディスプレイ（dual　display）の液晶ディスプレイの構造に関するものである。
【背景技術】
【０００２】
　現在、液晶ディスプレイ（ＬＣＤ）は、電力消耗率の低さ、サイズのコンパクト化及び駆動電圧の低さなどの長所を有するために、パーソナル・デジタル・アシスタント（personal　digital　assistants、ＰＤＡ）や携帯電話、ポータブル・コンピュータなどのモバイル通信製品のディスプレイとして幅広く使用されている。
【０００３】
　しかしながら、時代の進歩に伴って、多くの製品はディスプレイの表裏両面でのデータ表示を必要としている。例えば、市場に出回っている多くの折り畳み式携帯電話（folding　type　mobile　phone）の折り畳み部（或いは上部ハウジング）の内側と外側には、それぞれ１つの液晶ディスプレイが備え付けられている。
【０００４】
　従来、このようなタイプの製品を製造する場合には、表裏両面のそれぞれのデータを表示するために、２つの独立した液晶ディスプレイを使用する必要がある。従って、従来の方法では、２セットの電子装置を用いて上述した２つの独立した液晶ディスプレイを駆動しなければならず、結果的にコストが上がるだけでなく、製品の厚さも増加し、軽量・薄型・小型という製品の潮流に合わない。
【発明の開示】
【発明が解決しようとする課題】
【０００５】
　本発明は、上述のような事情に鑑みてなされたものであり、本発明の主な目的は、表裏両面にデータを表示するデュアル・ディスプレイの液晶ディスプレイの構造を提供することにある。本発明のもう一つの目的は、一つの液晶層だけを備えたデュアル・ディスプレイの液晶ディスプレイの構造を提供することにある。また、本発明のもう一つの目的は、透過モードと反射モードとを備えたデュアル・ディスプレイの液晶ディスプレイの構造を提供することにある。
【課題を解決するための手段】
【０００６】
　上述の目的を達成するために、本発明に係るデュアル・ディスプレイの液晶ディスプレイの構造は、第１ディスプレイ・エリアと第２ディスプレイ・エリアとを備え、前記第１ディスプレイ・エリアと前記第２ディスプレイ・エリアは、それぞれ少なくとも１つ以上のディスプレイを含んでおり、第１基板と、前記第１基板の上に形成される画素電極パターンと、前記第１基板と向かい合う第２基板と、前記第２ディスプレイ・エリアの前記第２基板の片側に形成される反射層と、前記第２基板及び前記反射層の上に形成されるカラーフィルタと、前記カラーフィルタの上に形成される共通電極と、前記第１基板と前記第２基板との間に形成される液晶層と、前記第１基板の外側に設置される発光装置とを少なくとも備える。
【発明の効果】
【０００７】
　本発明に係るデュアル・ディスプレイの液晶ディスプレイの構造によれば、同一セットの液晶ディスプレイを用いて表裏両面のそれぞれのデータを表示することができるので、従って、１セットの電子装置のみで上述のデュアル・ディスプレイの液晶ディスプレイを駆動することができ、よって、コストを低減させるだけでなく、製品の厚さも減少させることができ、軽量・薄型・小型という製品の潮流に合わせることができる。
【発明を実施するための最良の形態】
【０００８】
　本発明を一層理解できるように、図面を参照しながら、実施例を例示し、本発明を以下のように詳細に説明する。なお、説明した実施例は本発明を制限するものでないことは言うまでもない。
【実施例】
【０００９】
　まず、図１を参照しながら、本発明のデュアル・ディスプレイの液晶ディスプレイの構造を説明する。図１に示されるように、この液晶ディスプレイの構造は、第１ディスプレイ・エリア１０１と、第２ディスプレイ・エリア１０２と、第１基板１００と、透明絶縁層１１０と、画素電極パターン１２０と、第２基板１９０と、反射層（reflective　layer）１８０と、カラーフィルタ１７０と、共通電極（common　electrode）１６０と、液晶層１５０と、発光装置２００とを備えている。
【００１０】
　第１ディスプレイ・エリア１０１と第２ディスプレイ・エリア１０２は、それぞれ少なくとも1つ以上のディスプレイを含み、第１ディスプレイ・エリア１０１をメイン・ディスプレイ・エリア（main　display　area）とすることができ、また、第２ディスプレイ・エリア１０２をサブ・ディスプレイ・エリア（auxiliary　display　area）とすることができる。
【００１１】
　第１基板１００は、薄膜トランジスタ・アレイのガラス基板（TFTs　array　glass　substrate）である。また、透明絶縁層１１０は、前記第１基板１００の内側の上に形成され、その材質は有機材料である。
【００１２】
　画素電極パターン１２０は、前記透明絶縁体層１１０の上に形成され、その製造方法としては、まず透明導電層(図示せず)を透明絶縁体１１０の上に堆積させ、その後、フォトリソグラフィとエッチングプロセスを通して、所望の画素電極パターン１２０を形成することができる。透明導電層の材質としては、インジウムスズ酸化物（ＩＴＯ）或いはインジウム亜鉛酸化物（ＩＺＯ）を用いることができる。
【００１３】
　第２基板１９０は、前記第１基板１００と向かい合っており、且つ、その材質としてはガラス或いはその他の適合の材料を用いることができる。
【００１４】
　反射層１８０は、第２ディスプレイ・エリア１０２の第２基板１９０の内側或いは外側に選択的に形成されることができる。本実施例では、反射層は、第２ディスプレイ・エリア１０２の第２基板１９０の内側に形成されている。前記反射層１８０の材質としては、アルミニウム或いは銀を用いることができ、且つ反射層１８０の厚さは０．１μｍであることが好ましい。
【００１５】
　カラーフィルタ１７０は、第２基板１９０と反射層１８０の上に形成され、前記カラーフィルタ１７０は、カラーフィルタまたはモノクロフィルタを選択的に用いることができる。本実施例では、カラーフィルタを用いている。
【００１６】
　共通電極１６０は、カラーフィルタ１７０の上に形成され、前記共通電極１６０の材質としては、インジウムスズ酸化物（ＩＴＯ）或いはインジウム亜鉛酸化物（ＩＺＯ）を用いることができる。
【００１７】
　液晶層１５０は、第１基板１００と第２基板１９０との間に形成される。液晶材料を第１基板１００と前記第２基板１９０との間に直接注入することによって、所望の液晶層１５０を形成することができる。
【００１８】
　発光装置２００は、第１基板１００の外側に形成される。発光装置２００を第１ディスプレイ・エリア１０１と第２ディスプレイ・エリア１０２に同時に対応させた時に、発光装置２００は、第１ディスプレイ・エリア１０１のバックライト（backlight）と第２ディスプレイ・エリア１０２のフロントライト（frontlight）として同時に機能することができる。しかし、発光装置２００を第１ディスプレイ・エリア１０１だけに対応させた時に、発光装置２００は、第１ディスプレイ・エリア１０１のバックライトだけとして機能することができる。また、より好ましい実施例では、発光装置２００は、冷陰極蛍光管（cold　cathode　fluorescent　tube）と導光板（light　guide　panel）とを含む。
【００１９】
　つまり、本発明のデュアル・ディスプレイの液晶ディスプレイの構造において、第１ディスプレイ・エリア１０１の中にある液晶ディスプレイの構造は、透過型液晶ディスプレイの構造（符号２０１は透過光を表す）であるのに対して、第２ディスプレイ・エリア１０２の中にある液晶ディスプレイの構造は、反射型液晶ディスプレイの構造（符号２０２は反射光を表す）である。更に、特に強調しなければならないのは、第１ディスプレイ・エリア１０１と第２ディスプレイ・エリア１０２は、液晶ディスプレイの機構設計によって、互いに隣接する或いは隣接させないことができるということである。
【００２０】
　本発明の好適な実施例を以上のように例示したが、これは本発明を限定するものではなく、本発明の精神および範囲を逸脱しない限りにおいては、当業者であれば行い得る多少の変更や修飾を附加することは可能である。従って、本発明が保護を請求する範囲は、特許請求の範囲を基準とする。
【図面の簡単な説明】
【００２１】
【図１】本発明のデュアル・ディスプレイの液晶ディスプレイの構造を示す概略図である。
【符号の説明】
【００２２】
１００　　第１基板
１０１　　第１ディスプレイ・エリア
１０２　　第２ディスプレイ・エリア
１１０　　透明絶縁層
１２０　　画素電極パターン
１５０　　液晶層
１６０　　共通電極
１７０　　カラーフィルタ
１８０　　反射層
１９０　　第２基板
２００　　発光装置
２０１　　透過光
２０２　　反射光
【図１】
2004145332.tif 000003